(57)【要約】【課題】  制御装置の交換時や初期化時に手動で設定値を入力する作業をなくし、また制御装置内の設定値が書き換えられても正常な値に復旧させる。【解決手段】  マイコンを使用した制御装置３をボイラ１に設置しておき、前記制御装置３内のデータメモリに入力した設定値に基づいて運転を制御しているボイラ１において、ボイラ１とは別の場所に前記制御装置３内のデータメモリに入力した設定値と同じ値を記録する外部機器２を設ける。制御装置３へ設定値を入力する場合には、設定値とともに更新信号を入力するようにしておき、外部機器２は更新信号が存在する場合のみ制御装置３から設定値を読み込んで記録する。制御装置３は電源投入毎等定期的に外部機器２から設定値を読み込む。【選択図】図１
2005221128.tif 000002
【特許請求の範囲】
【請求項１】
マイコンを使用した制御装置をボイラに設置しておき、前記制御装置内のデータメモリに入力した設定値に基づいて運転を制御しているボイラにおいて、ボイラとは別の場所に前記制御装置内のデータメモリに入力した設定値と同じ値を記録する外部機器を設けておき、制御装置は電源投入毎等定期的に外部機器から設定値を読み込むようにしたことを特徴とするデータの自動復帰を行うボイラ用制御装置。
【請求項２】
請求項１に記載のデータの自動復帰を行うボイラ用制御装置において、制御装置は外部機器から設定値を読み込んで記録し、外部機器は制御装置から設定値を読み込んで記録するものであり、制御装置へ設定値を入力する場合には、設定値とともに更新信号を入力するようにしておき、外部機器は更新信号が存在する場合のみ制御装置から設定値を読み込んで記録するようにしたことを特徴とするデータの自動復帰を行うボイラ用制御装置。
【発明の詳細な説明】
【技術分野】
【０００１】
本発明は、設定値をボイラに設置した制御装置内のデータメモリに記録しておき、設定値に基づいて運転を制御しているボイラに関するものである。
【背景技術】
【０００２】
特開２０００−１８５０６号公報には、マイコン、表示装置、操作ボタン、プログラムメモリ、データメモリ等からなる制御装置を設けておき、マイコンはデータメモリに記録した設定値に基づいてボイラの運転制御を行うことが記載されている。制御装置のうち、マイコンやデータメモリ等は一体化しておき、マイコン部等に異常が発生した場合にはデータメモリも含めて一式で交換するのが一般的である。この場合、データメモリに記録していた設定値もなくなるため、設定値は再度入力する必要がある。
【０００３】
特開２０００−１８５０６号公報に記載の発明は、データメモリに現在設定値と標準設定値を記憶させておくので容易に比較できるというものであるが、制御装置の交換等でデータメモリの設定値が消失した場合には、手動操作によって設定値を一から入力することが必要であった。
【０００４】
リセットにより設定値を消去した場合や誤って消去した場合も同様であるが、設定値は手動で入力する必要があり、手動による設定値入力は面倒である上に入力ミスを発生しやすいという問題があった。また、ボイラに設けている制御装置はノイズの影響を受けやすく、ノイズによってデータメモリの設定値が書き換えられる可能性もある。制御装置の設定値が正しい値にないと、ボイラは不適切な設定で運転することになるため、装置寿命の短縮や蒸気質の低下などを招くことになる。
【特許文献１】特開２０００−１８５０６号公報
【発明の開示】
【発明が解決しようとする課題】
【０００５】
本発明が解決しようとする課題は、制御装置の交換時や初期化時に手動で設定値を入力する作業をなくし、また制御装置内の設定値が書き換えられても正常な値に復旧させることで、作業の簡素化とボイラが不適切な設定値で運転することを防止するものである。
【課題を解決するための手段】
【０００６】
請求項１に記載の発明は、マイコンを使用した制御装置をボイラに設置しておき、前記制御装置内のデータメモリに入力した設定値に基づいて運転を制御しているボイラにおいて、ボイラとは別の場所に前記制御装置内のデータメモリに入力した設定値と同じ値を記録する外部機器を設けておき、制御装置は電源投入毎等定期的に外部機器から設定値を読み込むようにしたことを特徴とするデータの自動復帰を行うボイラ用制御装置である。
【０００７】
請求項２に記載の発明は、前記のデータの自動復帰を行うボイラ用制御装置において、制御装置は外部機器から設定値を読み込んで記録し、外部機器は制御装置から設定値を読み込んで記録するものであり、制御装置へ設定値を入力する場合には、設定値とともに更新信号を入力するようにしておき、外部機器は更新信号が存在する場合のみ制御装置から設定値を読み込んで記録するようにしたことを特徴とするデータの自動復帰を行うボイラ用制御装置である。
【発明の効果】
【０００８】
本発明を実施することによって、制御装置の交換時や初期化時に設定値を入力する必要がなくなり、入力ミスの発生も防止できる。また何らかの要因によって設定値が書き換えられても、正常な値に復旧させることができるため、ボイラを適切な状態で稼働することができる。
【発明を実施するための最良の形態】
【０００９】
図１は本発明の一実施例における全体構成図であり、図２は本発明の一実施例における制御装置部分の構成図である。図１は、自動で運転制御を行うボイラ１、ボイラ１に設けた制御装置３、ボイラの運転を監視する監視装置２からなっており、監視装置２がボイラ１とは別の場所で制御装置３に入力した設定値と同じ値を記録する外部機器となる。ボイラの運転を制御する制御装置３は、入力装置４を通じて設定値を制御装置３へ入力することができるようにしている。監視装置２は監視室に設置したパソコンにて集計監視プログラムを実行しており、ボイラ１の制御装置３と監視装置２の間を通信線で接続することでボイラ１のデータを監視装置２へ送り、監視装置２のデータをボイラ１へ送ることができるようにしておく。
【００１０】
制御装置３は、情報処理を行うマイコン５、設定値等を記録するデータメモリ６、プログラムを記録しているプログラムメモリ７、入力装置４からのデータを受け取る入力装置側入力ポート８、監視装置２からのデータを受け取る監視装置側入力ポート９、監視装置２へデータを送る監視装置側出力ポート１０等からなる。マイコン５はデータメモリに記録している設定値とプログラムメモリ７に記録しているプログラムに基づいてボイラ１の運転を制御する。制御装置３と監視装置２は、互いにデータメモリ内の情報を任意に出力、入力、記録できる機能を備えておき、情報のやりとりを可能としておく。
【００１１】
ボイラ１の設置時や設定変更時など、データメモリ６に設定値を入力する必要がある場合、設定値の入力は入力装置４を使用して制御装置３へ直接入力するか、監視装置２へ入力することで間接的に入力する。入力装置４から入力する場合、入力装置４からのデータは、入力装置側入力ポート８を通してマイコン５に入り、データメモリ６に記録する。また、入力装置４から設定値の入力を行う場合、設定値とともに更新信号の入力を行っておく。入力装置４から制御装置３へ入力した設定値は、監視装置側出力ポート１０を通して監視装置２へも送っておき、監視装置２でも記録する。監視装置２は制御装置３から設定値を読み込んで記録するのであるが、監視装置２では更新信号が存在する場合のみ記録し、更新信号が無い場合には設定値の監視装置２への記録は行わない。また、監視装置２の入力装置を用いて監視装置２へ設定値を入力する場合は、制御装置３は監視装置２へ入力しておいた値を読み込み、データメモリ６に記録する。
【００１２】
監視装置２が制御装置３から読み込んだ設定値を記録する場合、更新信号とともに制御装置３へ入力したデータを記録するようにしているため、監視装置２には入力装置４から入力した設定値を記録することになる。制御装置３内の設定値がノイズなどによって書き換えられたとしても、その場合には更新信号が無いためにその値を監視装置２に記録することはない。また、監視装置２を設置している監視室はノイズ発生源が少なく、監視装置２はノイズに対する耐性も比較的高いものとすることができるため、監視装置２の設定値がノイズなど意図しない要因によって書き換えられる可能性は少ない。そのため、監視装置２に記録されている設定値は正常な値であると考えることができる。
【００１３】
ボイラ１には各種のセンサ（図示せず）を設置しておき、センサによってボイラの状態は検出する。センサで検出した運転データは、データメモリ６に記録してボイラの制御に使用するとともに、監視装置２へも送る。また制御装置３はボイラの表示部にボイラの運転状況や運転データを表示するようにしておく。監視装置２では、設定値の場合は更新信号がなければ記録しないが、運転データの場合は逐次記録することで、監視装置２でボイラ１の運転状態を監視できるようにしておく。
【００１４】
制御装置３のマイコン５は、電源投入時や所定時間毎など定期的に、また読み込みの指令を入力した場合には、監視装置２に記録している設定値を読み込み、データメモリ６に記録する。そのため、データメモリ６内の設定値が消失していたり、データメモリ６内の設定値が何らかの要因によって書き換えられていたとしても、監視装置２に記録していた設定値を読み込むことで正しい設定値に戻すことができ、ボイラを最適な状態で稼働することができる。
【図面の簡単な説明】
【００１５】
【図１】本発明の一実施例における全体構成図
【図２】本発明の一実施例における制御装置部分の構成図
【符号の説明】
【００１６】
１  ボイラ        
２  監視装置      
３  制御装置        
４  入力装置      
５  マイコン            
６  データメモリ        
７  プログラムメモリ
８  入力装置側入力ポート
９  監視装置側入力ポート
１０  監視装置側出力ポート
【図１】
2005221128.tif 000003
【図２】
2005221128.tif 000004